(57)【要約】      （修正有）【課題】複数の圧電ユニットを具えた圧電エネルギーの転換効率が高い発電機を提供する。【解決手段】ハウジング１６０は中空の柱状で、内面に複数の第二圧電エネルギー転換部材１８０Ｂを設け、回転盤１５０Ａはハウジングの中空の中心部分に位置し、対向する第一表面と第二表面上に設けた複数の凸部１５０Ｂと、側面上に設けた複数の桿体１８０Ａとを具える。さらに、第一圧電ユニット１３０は接触面が露出した複数の球体１７０を具え、接触面が回転盤１５０Ａの第一表面の凸部１５０Ｂに接触し、第一蓋体は表面が第一圧電ユニット１３０の露出していない複数の球体１７０の表面と互いに連接し、外周がハウジングに固定接続し、第二圧電ユニット１４０は接触面が露出した複数の球体を具える。又、接触面がそれぞれ回転盤の第二表面上の複数の凸部に接触し、第二蓋体は表面が第二圧電ユニットの露出していない複数の球体の表面と互いに連接し、外周がハウジングに固定接続される。【選択図】図１
0003161125.tif 000002
【実用新案登録請求の範囲】
【請求項１】
ハウジングと、回転盤と、第一圧電ユニットと、第一蓋体と、第二圧電ユニットと、第二蓋体とを含んでなり、
該ハウジングは、中空の柱状で、内側表面上に複数の第二圧電エネルギー転換部材を設けてなり、
該回転盤は、ハウジングの中空の中心部分に位置し、回転盤の対向する第一表面と第二表面上に複数の凸部を設けてなり、側壁表面上には複数の桿体を設けてなり、
該第一圧電ユニットは、複数の球体を具えてなり、該複数の球体の接触面が露出し、球体の接触面がそれぞれ回転盤の第一表面に設けられた凸部の位置に対応し、接触し、
該第一蓋体は、表面が第一圧電ユニットの露出していない複数の球体の表面と互いに連接し、第一蓋体の外周がハウジングに固定接続し、
該第二圧電ユニットは、複数の球体を具えてなり、該複数の球体の接触面が露出し、該接触面がそれぞれ回転盤の第二表面上の複数の凸部に対応し、接触し、
該第二蓋体は、表面が第二圧電ユニットの露出していない複数の球体の表面と互いに連接し、第二蓋体の外周がハウジングに固定接続することを特徴とする発電機。
【請求項２】
中軸が、複数の圧電ユニットを直列に接続することを特徴とする請求項１に記載の発電機。
【請求項３】
前記回転盤の第一表面上に設けられた凸部が、第一圧電ユニットの複数の球体の位置に対応して設けられ、互いに接触することを特徴とする請求項１に記載の発電機。
【請求項４】
前記回転盤の第二表面に設けられた凸部が、第二圧電ユニットの複数の球体の位置に対応して設けられ、互いに接触することを特徴とする請求項１に記載の発電機。
【請求項５】
前記第一圧電ユニットが、第一底座と、第一圧電部材の蓋体と、を含んでなり、
該第一底座が表面に複数の球体を設けてなり、第一圧電部材の蓋体が複数の第一孔を設けてなり、第一底座のもう一方の表面が第一蓋体の表面と互いに連接し、複数の球体が複数の第一圧電エネルギー転換部材で第一底座に連接することを特徴とする請求項１に記載の発電機。
【請求項６】
前記第二圧電ユニットが、第二底座と、第二圧電部材の蓋体とを含んでなり、
該第二底座が表面に複数の球体を設けてなり、第二圧電部材の蓋体が複数の第二孔を設けてなり、第二底座のもう一方の表面が第二蓋体の表面と互いに連接し、複数の球体が複数の第一圧電エネルギー転換部材で第二底座に連接することを特徴とする請求項１に記載の発電機。
【請求項７】
前記球体が、球状か、或いはバネ状に形成されることを特徴とする請求項１に記載の発電機。
【請求項８】
前記複数の第二圧電エネルギー転換部材の数と位置がそれぞれ、複数の桿体に対応して設けられることを特徴とする請求項１に記載の発電機。
【請求項９】
前記複数の第一圧電エネルギー転換部材と第二圧電エネルギー転換部材とが、弾性の材料から形成されることを特徴とする請求項６に記載の発電機。
【考案の詳細な説明】
【技術分野】
【０００１】
この考案は、発電機であって、特に複数の圧電ユニットを具えて発電する発電機に関する。
【背景技術】
【０００２】
圧電の原理は、予め圧力を加えて変形させて、圧電エネルギー転換ユニットが固定の外力の下で最大電気エネルギーを出力する。
【０００３】
圧電材料は変形量（或いは歪と称す）と電圧との関係を具えてなり、同じ駆動電圧の下、最大の変形量を生み出す。
【０００４】
反対に、同一の変形量を駆動して最大の電圧を出力することができる。
【０００５】
前述の場合、圧電材料は、最高の機電エネルギーを転換する効果を具えてなる。
【０００６】
圧電材料が圧力を受ける機械の構造が先に必要で、安定して機械にエネルギーを取り入れることも必要な機械の構造である。
【０００７】
よって、二種類の需要を具えた機械であれば、予め圧力と安定して機械に取り入れる機能とが兼ね備えられて、高い転換率の圧電式の発電機のモジュール製作に有利である。
【０００８】
球体の弾性力を利用して圧電材料が生み出す力に対し外力の下、球体の緩衝の特性により圧電材料がさらに長い時間電圧を出力できるようにし、電気エネルギーの保存に有利である。
【０００９】
従来の圧電式の発電機は、基礎の組み合わせに圧電エネルギー転換ユニットを含んでなる。
【００１０】
機械を利用して外力が作用する方向を転換、或いは作用する時間を延長して、外力が圧電エネルギー転換ユニットを変形させる。
【００１１】
機電の転換の特性と電気回路の接続線を介して電気エネルギーを発生させる。
【００１２】
転換するエネルギーを増加させるため、機械の構造は常に、高い機動性を具えたものに設計され、外力の作用に合わせて迅速に変化を圧電エネルギー転換ユニットに伝送する。
【００１３】
また、複数の圧電ユニットは、互いに接続して、さらに大きな電気エネルギーを出力するために供することができる。
【考案の開示】
【考案が解決しようとする課題】
【００１４】
この考案は、複数の圧電ユニットを具えた圧電エネルギーの転換効率が高い発電機を提供することを課題とする。
【課題を解決するための手段】
【００１５】
そこで、本考案者は従来の技術に見られる欠点に鑑みて鋭意研究を重ねた結果、ハウジングと、回転盤と、第一圧電ユニットと、第一蓋体と、第二圧電ユニットと、第二蓋体とを含んでなり、
該ハウジングは、中空の柱状で、内側表面上に複数の第二圧電エネルギー転換部材を設けてなり、
該回転盤は、ハウジングの中空の中心部分に位置し、回転盤の対向する第一表面と第二表面上に複数の凸部を設けてなり、側壁表面上には複数の桿体を設けてなり、
該第一圧電ユニットは、複数の球体を具えてなり、該複数の球体の接触面が露出し、球体の接触面がそれぞれ回転盤の第一表面に設けられた凸部の位置に対応し、接触し、
該第一蓋体は、表面が第一圧電ユニットの露出していない複数の球体の表面と互いに連接し、第一蓋体の外周がハウジングに固定接続し、
該第二圧電ユニットは、複数の球体を具えてなり、該複数の球体の接触面が露出し、該接触面がそれぞれ回転盤の第二表面上の複数の凸部に対応し、接触し、
該第二蓋体は、表面が第二圧電ユニットの露出していない複数の球体の表面と互いに連接し、第二蓋体の外周がハウジングに固定接続する発電機によって課題を解決できる点に着眼し、かかる知見に基づいて本考案を完成させた。
【００１６】
以下、この考案について具体的に説明する。
請求項１に記載する発電機は、ハウジングと、回転盤と、第一圧電ユニットと、第一蓋体と、第二圧電ユニットと、第二蓋体とを含んでなり、
該ハウジングは、中空の柱状で、内側表面上に複数の第二圧電エネルギー転換部材を設けてなり、
該回転盤は、ハウジングの中空の中心部分に位置し、回転盤の対向する第一表面と第二表面上に複数の凸部を設けてなり、側壁表面上には複数の桿体を設けてなり、
該第一圧電ユニットは、複数の球体を具えてなり、該複数の球体の接触面が露出し、球体の接触面がそれぞれ回転盤の第一表面に設けられた凸部の位置に対応し、接触し、
該第一蓋体は、表面が第一圧電ユニットの露出していない複数の球体の表面と互いに連接し、第一蓋体の外周がハウジングに固定接続し、
該第二圧電ユニットは、複数の球体を具えてなり、該複数の球体の接触面が露出し、該接触面がそれぞれ回転盤の第二表面上の複数の凸部に対応し、接触し、
該第二蓋体は、表面が第二圧電ユニットの露出していない複数の球体の表面と互いに連接し、第二蓋体の外周がハウジングに固定接続する。
【００１７】
請求項２に記載の発電機は、請求項１における中軸が、複数の圧電ユニットを直列に接続する。
【００１８】
請求項３に記載の発電機は、請求項１における回転盤の第一表面上に設けられた凸部が、第一圧電ユニットの複数の球体の位置に対応して設けられ、互いに接触する。
【００１９】
請求項４に記載の発電機は、請求項１における回転盤の第二表面に設けられた凸部が、第二圧電ユニットの複数の球体の位置に対応して設けられ、互いに接触する。
【００２０】
請求項５に記載の発電機は、請求項１における第一圧電ユニットが、第一底座と、第一圧電部材の蓋体と、を含んでなり、
該第一底座が表面に複数の球体を設けてなり、第一圧電部材の蓋体が複数の第一孔を設けてなり、複数の球体の接触面を露出するために便利で、第一底座のもう一方の表面が第一蓋体の表面と互いに連接し、複数の球体が複数の第一圧電エネルギー転換部材で第一底座に連接する。
【００２１】
請求項６に記載の発電機は、請求項１における第二圧電ユニットが、第二底座と、第二圧電部材の蓋体とを含んでなり、
該第二底座が表面に複数の球体を設けてなり、第二圧電部材の蓋体が複数の第二孔を設けてなり、複数の球体の接触面を露出するために便利で、第二底座のもう一方の表面が第二蓋体の表面と互いに連接し、複数の球体が複数の第一圧電エネルギー転換部材で第二底座に連接する。
【００２２】
請求項７に記載の発電機は、請求項１における球体が、球状か、或いはバネ状に形成される。
【００２３】
請求項８に記載の発電機は、請求項１における複数の第二圧電エネルギー転換部材の数と位置がそれぞれ、複数の桿体に対応して設けられる。
【００２４】
請求項９に記載の発電機は、請求項１における複数の第一圧電エネルギー転換部材と第二圧電エネルギー転換部材とが、弾性の材料から形成される。
【考案の効果】
【００２５】
この考案の発電機は、複数の圧電ユニットを具えているため高い圧電転換効率を具えてなるという効果を有する。
【考案を実施するための形態】
【００２６】
この考案は、複数の圧電ユニットを具えた圧電エネルギーの転換効率が高い発電機であって、ハウジングと、回転盤と、第一圧電ユニットと、第一蓋体と、第二圧電ユニットと、第二蓋体とを含んでなり、
該ハウジングは、中空の柱状で、内側表面上に複数の第二圧電エネルギー転換部材を設けてなり、
該回転盤は、ハウジングの中空の中心部分に位置し、回転盤の対向する第一表面と第二表面上に複数の凸部を設けてなり、側壁表面上には複数の桿体を設けてなり、
該第一圧電ユニットは、複数の球体を具えてなり、該複数の球体の接触面が露出し、球体の接触面がそれぞれ回転盤の第一表面に設けられた凸部の位置に対応し、接触し、
該第一蓋体は、表面が第一圧電ユニットの露出していない複数の球体の表面と互いに連接し、第一蓋体の外周がハウジングに固定接続し、
該第二圧電ユニットは、複数の球体を具えてなり、該複数の球体の接触面が露出し、該接触面がそれぞれ回転盤の第二表面上の複数の凸部に対応し、接触し、
該第二蓋体は、表面が第二圧電ユニットの露出していない複数の球体の表面と互いに連接し、第二蓋体の外周がハウジングに固定接続する発電機の構造と特徴を詳述するために具体的な実施例を挙げ、図示を参照にして以下に説明する。
【実施例】
【００２７】
図１は、この考案の発電機を示したものである。
【００２８】
該発電機１００は、第一蓋体１１０と、第二蓋体１２０と、第一圧電ユニット１３０と、第二圧電ユニット１４０と、回転ユニット１５０と、ハウジング１６０とを含んでなる。
【００２９】
該第一蓋体１１０と、第二蓋体１２０と、第一圧電ユニット１３０と、第二圧電ユニット１４０と、回転ユニット１５０と、ハウジング１６０の表面はそれぞれ中央に孔１９０が設けられ、中軸１０５を貫通して直列に接続するために便利である。
【００３０】
上述の第一圧電ユニット１３０は、第一底座１３０Ａと、第一圧電部材の蓋体１３０Ｂとを具えてなり、第二圧電ユニット１４０は、第二底座１４０Ａと、第二圧電部材の蓋体１４０Ｂとを具えてなる。
【００３１】
第一底座１３０Ａと第二底座１４０Ａはそれぞれ、表面に複数の球体１７０を具えてなる。
【００３２】
第一圧電部材の蓋体１３０Ｂと第二圧電部材の蓋体１４０Ｂはそれぞれ、複数の第一孔１３０Ｃと、複数の第二孔１４０Ｃとを具えてなり複数の球体１７０の接触面を露出するために便利である。
【００３３】
上述の球体１７０は、球状か、或いはバネ状に形成する。
【００３４】
複数の球体１７０は、複数の第一圧電エネルギー転換部材１７０Ａを介してそれぞれ第一底座１３０Ａと第二底座１４０Ａとに連結する。
【００３５】
第一圧電エネルギー転換部材１７０Ａは、弾性材料から形成する。
【００３６】
図１に開示するように、上述の回転ユニット１５０は、回転盤１５０Ａと、複数の桿体１８０Ａとを含んでなる。
【００３７】
複数の桿体１８０Ａは、回転盤１５０Ａの側壁表面上に形成される。回転盤１５０Ａの対向する第一表面と第二表面上にはそれぞれ、複数の凸部１５０Ｂが形成される。
【００３８】
該複数の凸部１５０Ｂの数と位置はそれぞれ、複数の球体１７０に対応して設けられる。
【００３９】
上述のハウジング１６０は、中空の柱状で、内部に部材を設けることができる。
【００４０】
該ハウジング１６０は内側表面上に複数の第二圧電エネルギー転換部材１８０Ｂを設けてなる。
【００４１】
該複数の第二圧電エネルギー転換部材１８０Ｂの数と位置はそれぞれ複数の桿体１８０Ａに対応して設けられる。
【００４２】
複数の第二圧電エネルギー転換部材１８０Ｂは弾性の材料から形成する。
【００４３】
図１に開示するように、上述の部材は中軸１０５が貫通しているため、ハウジング１６０内に直列に接続して設けられる。
【００４４】
回転ユニット１５０は、ハウジング１６０の中空の中心部分に位置し、第一圧電ユニット１３０と第二圧電ユニット１４０の第一圧電部材の蓋体１３０Ｂと第二圧電部材の蓋体１４０Ｂから複数の球体１７０の接触面が露出し、回転ユニット１５０の対向する第一表面と第二表面上の複数の凸部１５０Ｂの位置に対応して接触する。
【００４５】
第一圧電ユニット１３０と、第二圧電ユニット１４０の第一底座１３０Ａと第二底座１４０Ａのもう一方の表面にはそれぞれ、第一蓋体１１０と、第二蓋体１２０とが互いに連接する。
【００４６】
第一蓋体１１０と、第二蓋体１２０の周囲はハウジングに固定接続する。
【００４７】
中軸１０５が回転すると、ハウジング１６０内で回転ユニット１５０が回転する。この時、複数の桿体１８０Ａが回転ユニット１５０の回転に合わせて動き、ハウジング１６０の複数の第二圧電エネルギー転換部材１８０Ｂと間接的に接触する。
【００４８】
また、発電機１００は、同一中軸が直列に接続しているため、図３に開示するように、さらに大きな圧電効果を得ることができる。２
【００４９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５０】
【図１】この考案の発電機を示した説明図である。
【図２】この考案の発電機を示した断面図である。
【図３】この考案の発電機が直列に接続された状態を示した断面図である。
【符号の説明】
【００５１】
１００     発電機
１０５     中軸
１１０     第一蓋体
１２０     第二蓋体
１３０     第一圧電ユニット
１３０Ａ   第一底座
１３０Ｂ   第一圧電部材の蓋体
１３０Ｃ   第一孔
１４０     第二圧電ユニット
１４０Ａ   第二底座
１４０Ｂ   第二圧電部材の蓋体
１４０Ｃ   第二孔
１５０     回転ユニット
１５０Ａ   回転盤
１５０Ｂ   凸部
１６０     ハウジング
１７０     球体
１７０Ａ   第一圧電エネルギー転換部材
１８０Ａ   桿体
１８０Ｂ   第二圧電エネルギー転換部材
１９０     孔
【図１】
0003161125.tif 000003
【図２】
0003161125.tif 000004
【図３】
0003161125.tif 000005